(57)【要約】【課題】検査面に接触せずに折り込みでき、衛生的に取り扱えるようにする。【解決手段】互いに隣接した一対の採卵シート２を有する基体シート３と、前記採卵シート２の略中央側にそれぞれ設けられる検卵粘着部６を介して貼合される剥離シート４とを有し、前記検卵粘着部６を二等分する位置に、前記検卵粘着部６を互いに重合状態に折り込める折目８が前記基体シート３に設けられ、前記折目８の両側に折込粘着部７が形成され、前記採卵シート２の検卵粘着部６の裏面に検査日の順番と氏名欄の印刷１０が施されている。【選択図】図１
0003116759.tif 000002
【実用新案登録請求の範囲】
【請求項１】
互いに隣接した一対の採卵シート（２）を有する基体シート（３）と、前記採卵シート（２）の略中央側にそれぞれ設けられる検卵粘着部（６）を介して貼合される剥離シート（４）とを有し、前記検卵粘着部（６）を二等分する位置に、前記検卵粘着部（６）を互いに重合状態に折り込める折目（８）が前記基体シート（３）に設けられ、前記折目（８）の両側に折込粘着部（７）が形成され、前記採卵シート（２）の検卵粘着部（６）の裏面に検査日の順番と氏名欄の印刷（１０）が施されていることを特徴とする蟯虫検査シート。
【請求項２】
前記検卵粘着部（６）が、オイルブルー色素の染料成分と塩化酢酸ビニル系の粘着成分とを含む粘着剤をグラビア塗工して形成されていることを特徴とする請求項１に記載の蟯虫検査シート。
【請求項３】
前記検卵粘着部（６）は、粘着剤が可塑状態にある間に基体シート（３）と剥離シート（４）とを貼り合わせて、グラビア転写目が互いに繋がった粘着面（９）を有していることを特徴とする請求項２に記載の蟯虫検査シート。
【考案の詳細な説明】
【技術分野】
【０００１】
本考案は、蟯虫症の保卵者を発見するのに利用される蟯虫検査シートに関するものである。
【背景技術】
【０００２】
この種の蟯虫検査シートとしては、例えば特許文献１に示すように、基材シート、該基材シートの一方もしくは双方の面に塗設された少なくとも一対の糊層、および単一の糊層に対して接着され、かつ互いに離間した剥離シートを二つ以上含むものが周知である。
この蟯虫検査シートは、二回採卵式の蟯虫卵検査シートであって、二日に亘って蟯虫の排卵を検出できるようになっている。その使用方法は、１日目に一方の糊層の剥離シートを剥がし取り、検査後に基体シートを糊層を合わせて折り込み、２日目の検査においても同様にして、検査後に基体シートを糊層を合わせて折り込んで用いるものである。
【特許文献１】特開平１１−６９９９３号公報
【考案の開示】
【考案が解決しようとする課題】
【０００３】
前記特許文献１の蟯虫検査シートでは、二日に亘って糊層を合わせて折り込む操作を必要とするが、糊層は蟯虫卵の貼り付けが容易なように折り目を予め設けるのが困難であり、糊層を合わせて折り込む操作では検査面への接触は避けられないため、衛生上問題を有していた。
本考案は、このような問題を解決し得る蟯虫検査シートを提供することを目的とする。
本考案は、検査面に接触せずに折り込みでき、衛生的に取り扱える蟯虫検査シートを提供することを目的とする。
【課題を解決するための手段】
【０００４】
前記目的を達成するため、本考案は次の手段を講じた。即ち、
互いに隣接した一対の採卵シート２を有する基体シート３と、前記採卵シート２の略中央側にそれぞれ設けられる検卵粘着部６を介して貼合される剥離シート４とを有し、前記検卵粘着部６を二等分する位置に、前記検卵粘着部６を互いに重合状態に折り込める折目８が前記基体シート３に設けられ、前記折目８の両側に折込粘着部７が形成され、前記採卵シート２の検卵粘着部６の裏面に検査日の順番と氏名欄の印刷１０が施されている。
これによって、折目８に沿って折込粘着部６同士が貼り付くので、検査面に接触せずに折り込みと氏名等の記載ができ、衛生的に取り扱える。また、子供が検査面を取り違えるのを防止することもできる。
【０００５】
前記検卵粘着部６が、オイルブルー色素の染料成分と塩化酢酸ビニル系の粘着成分とを含む粘着剤をグラビア塗工して形成されている。
これによって、蟯虫卵から発生するエンチームの作用によりオイルブルー色素が脱色され、蟯虫卵の発見が容易となる。また、グラビア塗工適性に優れる塩化酢酸ビニル系粘着成分を用いているので、検卵粘着部６を厚く塗工できると共に適度な粘着力を付与することが可能となる。
前記検卵粘着部６は、粘着剤が可塑状態にある間に基体シート３と剥離シート４とを貼り合わせて、グラビア転写目が互いに繋がった粘着面９を有している。
【０００６】
これによって、検卵粘着部６の全域に粘着剤が隙間なく広がって、検査において未塗工部や気泡を蟯虫卵に見間違えることがなくなり発見率が向上する。
【考案の効果】
【０００７】
本考案により、折目に沿って折込粘着部同士が貼り付くので、検査面に接触せずに折り込みでき、衛生的に取り扱える。
【考案を実施するための最良の形態】
【０００８】
以下、本考案の蟯虫検査シート１を図面に基づき説明する。
本考案の蟯虫検査シート１は、保育所、小学校及び幼稚園等で定期的に行われている蟯虫の検査に用いられる検査シートである。前記蟯虫（学名：Enterobius vermicularis）は、第二次大戦後の衛生状態改善と人糞尿の肥料利用率の低下により激減した回虫症に代わり、保育所、幼稚園、小学校など集団生活のなかで最も多い（小学校での感染率は約5％であるという報告もある。）寄生虫症となった蟯虫症を引き起こす。蟯虫は、虫卵を経口摂取することで感染し、人体内に入った幼虫は盲腸周辺で成虫となる。
【０００９】
蟯虫は盲腸に寄生し、成熟したメス成虫は夜間、肛門周囲に6,000〜10,000個の蟯虫卵を産卵する。産卵された蟯虫卵は６〜７時間で感染可能な成熟卵となり、衣類やベッドや他の物に付着して約2週間生存するとされている。この蟯虫卵は糞便中にはほとんど見当たらないため、大便で調べる通常の検便では蟯虫卵の検出は困難である。通常、2日間連続で蟯虫検査シート１を早朝起床前に肛門周囲に付着させて顕微鏡で蟯虫卵の有無を調べる方法が行われており、本考案の蟯虫検査シート１はこの検査に用いられるものである。
図１〜３に示すように、第１実施形態の蟯虫検査シート１は、採卵シート２を複数有する基体シート３と、この基体シート３上に貼合される剥離シート４とを備えている。
【００１０】
前記基体シート３は、連結部５を介して隣接する一対の略長方形の採卵シート２より構成されている。
前記採卵シート２は透明（ここでいう透明とは、顕微鏡観察を妨げない程度の半透明や着色された透明を含む意味である。以下、同じ。）の合成樹脂、例えばセロハン系樹脂、ポリエチレンやポリプロピレンなどのポリオレフィン系樹脂、ポリエステル系樹脂、ナイロンなどのポリアミド系樹脂、ポリエチレンテレフタレート系樹脂、ポリ塩化ビニル系樹脂などから形成されている。採卵シート２の裏面には、略中央部に円形の検卵粘着部６が設けられており、表面には使用方法、顕微鏡観察の標識及び被験者の氏名等を記載した印刷１０がされている。
【００１１】
前記印刷１０は、１日目、２日目等の検査日（検査順番）、及び所属や氏名を記載する氏名欄を有している。なお、検査における注意書き等をさらに記載しても良い。また、好ましくは氏名欄は２色印刷として１色に白ベタ印刷で、艶消し処理を行ったフィルム面に対して行うのが良く、これによって氏名等の記載と判別とが容易になる。
前記採卵シート２は両面コロナ処理されている合成樹脂を用いるのが好ましく、これにより印刷１０や検卵粘着部６の採卵シート２（基体シート３）への密着性が向上し、検卵粘着部６が剥離したり、印刷１０が剥がれるのを防止できる。
【００１２】
前記検卵粘着部６は、オイルブルー色素と塩化酢酸ビニル系粘着成分とを含む粘着剤が、ホットメルトコータ等でグラビア塗工されて、上面視で略円形に形成されている。その大きさは、表面に印刷されるターゲット円を十分覆える大きさ、例えば直径１６〜３５ｍｍ、面積２００〜１０００ｍｍ2とするのが良い。
前記粘着剤には、粘着成分として酢酸ビニル系、変性酢酸ビニル系、塩化酢酸ビニル系、ポリウレタン系、ポリアミド系、ポリエステル系、アクリル系等の粘着剤を用いることができ、必要に応じてテルペン等の粘着付与剤を加えることもできる。また、染料としては各色調のインキを用いることができるが、好ましくはエチーム効果による脱色により蟯虫卵の顕在性を高め得るオイルブル−染料を用いるのが好ましい。さらに、溶剤としてＭＥＫ、アセトン、ＭＩＢＫ、酢酸エチル、トルエン、キシレン、またはこれらを混合して成るシンナー等を用いてグラビア塗工に適した粘度に調製して塗工を行う。なお、溶剤には揮発性が低く、爆発の危険性が少ない溶剤、例えば大阪印刷インキ社製ＯＰＩ＃２などを用いるのが良く、粘着成分として積水化学工業のエスダイン３７０、及び染料としてミハラ化工のミハラオイルブルー５９０等を混合して前記粘着剤を調製できる。
【００１３】
前記グラビア塗工版（グラビアロール）は＃５０〜＃３００でメッシュ状あるいは水玉状に彫刻されており、このグラビア塗工版により塗布量１〜５０ｇ／ｍ2で塗布することが可能となる。グラビア塗工の転写パターンは粘着剤が熱可塑状態にある間に、前記剥離シート４を貼り合わせてグラビア転写目を互いに繋げるように貼合するのが好ましい。これにより、粘着剤が塗工部分全体に広がり、未塗工部分がない粘着面９を検卵粘着部６が有するので、検卵粘着部６の皮膚への粘着性を良好に維持することが可能となり、蟯虫卵の発見率をも向上させることが可能となる。
【００１４】
前記連結部５は、隣接する採卵シート２同士の対向する一辺同士を連結すると共に、検卵粘着部６を有する側に開口する断面視Ｖ字状に折目８に沿って折り込まれた部分である。このＶ字状部分の折り込み内側面には折込粘着部７が折目８に沿って左右に帯状に設けられている。この折込粘着部７は前記粘着剤と好ましくは同じ粘着剤を用いてグラビア塗工されて形成されており、前記折目８は並設される２つの検卵粘着部６を二等分する位置に設けられているので、折目８に沿って折り込めば左右の前記折込粘着部７及び検卵粘着部６がそれぞれ重合するように折り込めるようになっている。折目８に沿って左右に前記折込粘着部７を設けることで、折り込み操作時には折込粘着部７同士が貼合し合って折り込み位置を決定するので、２つの検卵粘着部６が正確に重合するように折り込むことが可能となり、検卵粘着部７がズレなく重合するので蟯虫卵の顕微鏡観察で良好な視野が確保でき、蟯虫卵の発見率を向上させることが可能となる。
【００１５】
前記剥離シート４は、ポリエチレン、ポリプロピレンなどのポリオレフィンフィルム、ＰＥＴ、ＰＶＣ、ナイロン、セロファンのようなフィルムであれば厚み、材質、着色等は問わないが、好ましくはＯＰＰフィルムなどの１軸延伸フィルムを用いるのが良い。適度な伸びと破断強度とを有する１軸延伸フィルムを用いることで、粘着と剥離を繰り返しても破断しにくくなるからである。また、剥離シート４は少なくとも基体シート３側に対向する面が非コロナ処理とされるのが良い。これにより、剥離シート４が検卵粘着部６の粘着剤を基体シート３から剥がし取ることがなくなるからである。
【００１６】
本考案は前記実施形態における各部材の形状およびそれぞれの前後・左右・上下の位置関係は、図１〜図３に示すように構成することが最良である。しかし、前記実施形態に限定されるものではなく、部材、構成を種々変形したり、組み合わせを変更したりすることもできる。
例えば、粘着成分には塩化酢酸ビニル系粘着剤を用いる必要は必ずしもなく、他の接着剤・粘着剤を用いることも可能である。
なお、粘着剤の塗工はホットメルトコータでなくても良く、ラミネータ等で行っても良い。また、粘着剤の塗工方法はグラビア塗工には限定されない。
【図面の簡単な説明】
【００１７】
【図１】本考案の第１実施形態の蟯虫検査シートの斜視図である。
【図２】同蟯虫検査シートを印刷面側から見た平面図である。
【図３】図２のＡ−Ａ線断面図である。
【符号の説明】
【００１８】
１    蟯虫検査シート
２    採卵シート
３    基体シート
４    剥離シート
５    連結部
６    検卵粘着部
７    折込粘着部
８    折目
９    粘着面
１０  印刷
【図１】
0003116759.tif 000003
【図２】
0003116759.tif 000004
【図３】
0003116759.tif 000005